(57)【特許請求の範囲】
【請求項１】
内ドラム、外ドラム、加熱送風装置、および風道を含むドラム式洗濯乾燥機であって、さらに前記外ドラムの側壁から前記内ドラム内に熱風を吹き込む第１空気室および第２空気室を含み、
前記加熱送風装置が前記風道と接続され、前記第１空気室および前記第２空気室は、前記風道と接続され、前記第１空気室の作動および停止と、前記第２空気室の作動および停止とは、個別に行われており、
前記第１空気室は前記外ドラムの左側に配置され、前記第２空気室は前記外ドラムの右側に配置され、前記第１空気室および前記第２空気室は、前記外ドラムの軸方向に、前後に順番に分布しており、
前記内ドラムの回転方向に基づいて、前記第１空気室の送風が作動し、前記第２空気室の送風が停止した状態と、前記第１空気室の送風が停止し、前記第２空気室の送風が作動した状態とが切り替わるように、前記第１空気室および前記第２空気室が制御され、
前記第１空気室および前記第２空気室は、前記外ドラムの側壁の外面上で、前記外ドラムの軸方向に延伸し、前記第１空気室および前記第２空気室の長さは、前記外ドラムの軸方向の長さの少なくとも６０％であり、
前記第１空気室および前記第２空気室からの送風方向は内ドラムが回転して衣類を上昇および落下させる経路にそれぞれ対応することを特徴とする、ドラム式洗濯乾燥機。
【請求項２】
内ドラムの正逆回転に対応して、前記第１空気室および前記第２空気室の作動、停止が切り替わることを特徴とする、請求項１に記載のドラム式洗濯乾燥機。
【請求項３】
衣類乾燥時、前記内ドラムが正逆回転し、前記第１空気室および前記第２空気室の作動、停止が切り替わり、衣類が落下する側の経路に対応して送風する前記第１空気室が作動し、前記第２空気室が停止することを満たすことを特徴とする、請求項２に記載のドラム式洗濯乾燥機。
【請求項４】
前記ドラム式洗濯乾燥機が第３空気室をさらに含み、第３空気室が外ドラムの底部に取り付けられ、通風方向が上向きであることを特徴とする、請求項３に記載のドラム式洗濯乾燥機。
【請求項５】
前記第３空気室が、前記外ドラムの軸方向における中間部分に設けられることを特徴とする、請求項４に記載のドラム式洗濯乾燥機。
【請求項６】
前記第１空気室および前記第２空気室の吸気管路にチェック弁が設けられ；前記第１空気室および前記第２空気室が同一の気流分配弁を介して風道と通じ、気流分配弁が前記第１空気室および前記第２空気室の排気を制御するか、または前記第１空気室および前記第２空気室がそれぞれ風道と通じ、前記第１空気室および前記第２空気室に一つ一つ対応して作動制御弁が設けられることを特徴とする、請求項１に記載のドラム式洗濯乾燥機。
【請求項７】
前記第１空気室および前記第２空気室が空気取入口および開口を含み、開口に通気カバーが取り付けられ、通気カバーに複数の通気孔が均一に分布することを特徴とする、請求項１に記載のドラム式洗濯乾燥機。
【請求項８】
外ドラムの前／後から吸気して衣類乾燥する第１衣類乾燥システム、および、第２衣類乾燥システムを含み、
第２衣類乾燥システムが外ドラムの側壁から内ドラム内に熱風を吹き込む第１空気室および第２空気室を含み、前記第１空気室および前記第２空気室はそれぞれ、内ドラムが正逆回転するとき衣類を上昇させる側に対応して設置され、前記第１空気室および前記第２空気室は個別に熱風の吹き込みを制御し、内ドラムの正逆回転に基づいて、前記第１空気室および前記第２空気室の作動、停止が切り替わることを特徴とする、請求項１に記載のドラム式洗濯乾燥機。
【請求項９】
前記第１衣類乾燥システムが主衣類乾燥システムであり、第２衣類乾燥システムが補助衣類乾燥システムであり、衣類乾燥過程で、第２衣類乾燥システムが前記第１空気室および前記第２空気室の作動、停止を制御し、第１衣類乾燥システムを組み合わせて衣類乾燥を完了することを特徴とする、請求項８に記載のドラム式洗濯乾燥機。
【請求項１０】
前記第２衣類乾燥システムおよび第１衣類乾燥システムが同一の加熱装置を使用し、風道を介して第１衣類乾燥システムおよび第２衣類乾燥システムに分流するか、または第２衣類乾燥システムおよび第１衣類乾燥システムがそれぞれ加熱装置に対応することを特徴とする、請求項８に記載のドラム式洗濯乾燥機。
【請求項１１】
請求項１〜１０のいずれか１項に記載のドラム式洗濯乾燥機の衣類乾燥方法であって、
前記第１空気室および前記第２空気室が外ドラムの軸方向に対応して前後に分布し、前記第１空気室および前記第２空気室が分布する順序に基づいて、内ドラムの回転方向を制御することにより、異なる衣類乾燥段階で、内ドラムの前後に対応する異なる位置から送風し、衣類乾燥することを特徴とする、ドラム式洗濯乾燥機の衣類乾燥方法。
【請求項１２】
２つの段階、つまり乾燥前期および乾燥後期を少なくとも含み、外ドラム左側からの空気の吹込みに対応して設置される前記第１空気室は外ドラム後端に位置し、外ドラム右側からの空気の吹込みに対応して設置される前記第２空気室は外ドラム前端に位置し、乾燥前期、内ドラムが反時計回りに回転するか、または大部分の時間反時計回りに回転するように制御し、左側の衣類が降下する過程に対応して、左側の前記第１空気室からの送風が作動し、右側の前記第２空気室は停止する；乾燥後期、内ドラムが時計回りに回転するか、または大部分の時間時計回りに回転するように制御し、右側の衣類が降下する過程に対応して、右側の前記第２空気室からの送付が作動し、左側の前記第１空気室は停止することを特徴とする、請求項１１に記載の衣類乾燥方法。
【請求項１３】
外ドラムの真下の中間位置に対応して第３空気室が設けられ、前記第３空気室が乾燥の前後期に前記第１空気室および前記第２空気室と組み合わさり、衣類乾燥するか；または乾燥中期を追加し、乾燥中期に前記第３空気室が作動し、前記第１空気室および前記第２空気室が停止することを特徴とする、請求項１２に記載の衣類乾燥方法。
【発明の詳細な説明】
【技術分野】
【０００１】
本発明は乾燥分野に関し、特に吸気位置および吸気方式を改良したドラム式類乾燥機および衣類乾燥方法である。
【背景技術】
【０００２】
洗濯乾燥機に用いられる乾燥機構において、加熱空気を生成する装置には、加熱器により空気を加熱する加熱方式が採用される。エネルギー消費を低下させるため、ヒートポンプシステムを使用して、熱量の循環利用を高めたヒートポンプ式衣類乾燥機が続々と開発されている。既存のドラム式衣類乾燥機における、一般的な加熱管による乾燥方式は前面にしか乾燥吸気口がなく（図１を参照）、ヒートポンプによる乾燥方式は後面に１つの乾燥吸気口を有するのみである（図２を参照）。
【０００３】
具体的に、図１に示すように、既存の加熱管による衣類乾燥は、風路中に加熱管１’、ファン２’が設けられる。循環式加熱の場合、さらに凝縮装置３’が設けられ、加熱前に、まず湿熱空気中の水蒸気を凝縮して排出する必要がある。非循環式の衣類乾燥の場合、外部の空気を加熱し、ドラム内に送って衣類乾燥し、衣類乾燥後の湿熱空気を再び外部に排出する（図示せず）。図２に示すように、既存のヒートポンプ式衣類乾燥装置には、以下の空気循環通路が設けられる。つまり、ヒートポンプ循環システム４’中の凝縮器５’が過加熱した加熱空気が、循環通路を通過してドラム後部の吸気口から、衣類を入れる乾燥室内に送られる。衣類から水分を吸収した吸湿空気は、前部の排気口から蒸発器６’部分に送られて除湿され、除湿後の空気は再度凝縮器５’に加熱されて、乾燥室に送られる。
【０００４】
中国特許出願番号第２００６１０１４６４４２．２号明細書は、ヒートポンプを熱源として採用した洗濯乾燥機を開示している。具体的に、ヒートポンプシステム中の凝縮器の熱源を利用して空気を加熱し、システム中の蒸発器を除湿の冷熱源として利用し、衣類を乾燥させる装置に関する。前記洗濯機は、外ドラムの後ろ側に熱風入口が設置され、ドラムの外ドラム前端に熱風出口が設置される。熱風出口に熱風入口に通じる風道を有し、熱風出口付近の風道中に蒸発器が設置され、風道中において、熱風入口の近くにカバーが設置される。
【０００５】
中国特許出願番号第２０１１１０１８３１９７．３号明細書は、乾燥機能を有する洗濯機の内外ドラム構造を開示している。内ドラムは外ドラムの内部に同軸に設けられ、内ドラムの軸は外ドラム後部を通過する。前記外ドラムの後部に乾燥吸気口が設けられ、外ドラム後部の内側および内ドラム後部の外側間における乾燥吸気口の周囲に、乾燥空気の吸気が内外ドラム後部で径方向に拡散するのを阻止する風防構造が設けられる。前記風防構造は、外ドラム後部の内側および内ドラム後部の外側の円周方向に沿ってそれぞれ設けられる複数の遮蔽リブである。遮蔽リブはいずれも乾燥吸気口の外周にあり、遮蔽リブの半径が異なることにより、外ドラム後部の内側および内ドラム後部の外側における隣接する遮蔽リブは交差して重なり合う。
【０００６】
加熱器で加熱する衣類乾燥またはヒートポンプシステムによる衣類乾燥に関わらず、一般的に風道を介して、加熱した空気を外ドラム後部から内ドラムに送り、湿った衣類と熱交換させた後、湿った、温度を低下させる空気を内ドラム前部から外部に誘導するか、または凝縮により除湿した後、再び加熱して引き続き衣類を乾燥させる。衣類乾燥機にはいずれも乾燥吸気口が１つだけ設けられ、衣類乾燥過程で、吸気口に近い衣類の乾燥速度は速いが、長時間比較的高い温度下にあるため、乾燥後に縮む度合が大きい。吸気口から離れた衣類は温度が低く、乾燥速度が遅く、乾燥しにくい。特に重量が重い単一の衣類は、内部の乾燥程度が不均一な状況が容易に発生する。
【０００７】
中国特許出願番号第２０１１１０２３１５７４．６号明細書は、前後に２つの乾燥吸気口を有する洗濯乾燥機および制御方法を開示している。洗濯乾燥機は筐体と、筐体内に設けられる外ドラムと、外ドラム内に回転可能に設けられる内ドラムとを含み、さらに衣類を乾燥させるヒートポンプシステムを含む。ヒートポンプシステムは、ヒートポンプ吸気口およびヒートポンプ排気口を含む。外ドラム前部および後部の上方に、前部乾燥吸気口および後部乾燥吸気口がそれぞれ設けられ、外ドラム前部の上方に乾燥排気口がさらに設けられる。乾燥排気口はヒートポンプ吸気口と吸気風道を介して通じ、ヒートポンプ排気口は送風風道を介して後部乾燥吸気口と通じる。前部乾燥吸気口と送風風道との間に第２風道が設けられ、第２風道は外ドラムの外壁に密着し、外ドラムと一体成型構造である。切替機構により、ヒートポンプ排気口が前部乾燥吸気口および／または後部乾燥吸気口と通じるように制御する。
【０００８】
上記構造は２つの吸気口を開示しているが、実質的には１つの吸気口であり、切替機構がそのうちの１つを選択して吸気、乾燥するように制御する。また前部吸気口および排気口はいずれも外ドラムの前端に設置され、前部吸気口からの吸気を選択するとき、効果的に吸気を利用して衣類乾燥することができないが、その目的は、ヒートポンプ圧縮機の動作効率を調節するためである。２つの吸気口は外ドラムの前後端に設置され、どの吸気口を選択しても、衣類乾燥は依然として不均一であり、衣類の損傷は深刻である。
【０００９】
このことを考慮して、特に本発明を示す。
【先行技術文献】
【特許文献】
【００１０】
【特許文献１】中国特許出願番号第２００６１０１４６４４２．２号明細書
【特許文献２】中国特許出願番号第２０１１１０１８３１９７．３号明細書
【特許文献３】中国特許出願番号第２０１１１０２３１５７４．６号明細書
【発明の概要】
【発明が解決しようとする課題】
【００１１】
本発明が解決しようとする技術的問題は、既存技術の不足を克服することであり、吸気方向を制御し、衣類の昇降に対応して、熱風をドラムの左または右側から選択的にドラムに進入させることにより、衣類乾燥を均一にし、衣類乾燥時間を短縮するドラム式衣類乾燥機を提供する。
【００１２】
本発明のもう１つの目的は、内ドラムの回転方向を制御し、衣類が昇降する側と、外ドラムの軸方向における空気室の前後位置とを組み合わせて、熱風を吸気する衣類乾燥方法を提供することである。
【００１３】
本発明の別の目的は、既存の前後からの吸気による衣類乾燥を基に、補助衣類乾燥システムを利用して吸気方向を変化させ、衣類の昇降に対応して、熱風をドラムの左または右側から選択的にドラムに進入させることにより、衣類乾燥を均一にし、衣類乾燥時間を短縮するドラム式衣類乾燥機を提供することである。
【課題を解決するための手段】
【００１４】
上記技術的問題を解決するため、本発明が採用する技術案の基本的構想は次の通りである。ドラム式衣類乾燥機は、内ドラム、外ドラム、加熱送風装置、および風道を含み、さらに外ドラムの側壁からドラム内に熱風を吹き込む空気室を少なくとも２つ含む。各空気室は風道と通じ、独立して作動、停止を制御する。各空気室は、内ドラムが回転して、衣類を昇降させる両側に対応してそれぞれ設置される。内ドラムの回転方向に基づいて切り替わり、一側の空気室の送風が作動し、もう一側は送風を停止するように制御する。
【００１５】
好ましい案として、衣類乾燥時に内ドラムの回転方向に基づき、空気室の通風方向を制御して、衣類の落下に対応する側の送風を作動し、上昇する側は送風を停止する。
【００１６】
さらに、各空気室は外ドラムの軸方向に、前後に順番に分布する。
【００１７】
さらに、衣類乾燥時間および／または測定した外ドラム内の温度および／または測定した衣類の湿度に基づいて、各空気室の作動、停止および内ドラムの回転方向を制御する。
【００１８】
さらに、内ドラムが衣類を上昇、落下させる側部に対応して、少なくとも１つの空気室がそれぞれ設置される。内ドラムの正逆回転に対応して、両側の空気室の作動、停止が切り替わる。
【００１９】
さらに、前記衣類乾燥機は第１空気室および第２空気室を含み、２つの空気室はそれぞれ外ドラムの左、右両側に位置する。送風方向は、内ドラムが回転して衣類を上昇および落下させる経路にそれぞれ対応する。衣類乾燥時、内ドラムが正逆回転し、２つの空気室の作動、停止が切り替わる。衣類が落下する側の経路に対応して送風する空気室が作動し、もう一側の空気室が停止することを満たす。
【００２０】
さらに、前記衣類乾燥機は第３空気室をさらに含む。第３空気室は外ドラムの底部に取り付けられ、通風方向は上向きである。
【００２１】
さらに、前記第１空気室および第２空気室は、それぞれ外ドラムの前後端に位置し、第３空気室は中間に設けられる。
【００２２】
さらに、各空気室の吸気管路にチェック弁が設けられる。各空気室は同一の気流分配弁を介して風道と通じ、気流分配弁が空気室の排気を制御する。または各空気室がそれぞれ風道と通じ、各空気室に一つ一つ対応して作動制御弁が設けられる。
【００２３】
さらに、前記空気室は空気取入口および開口を含む。開口に通気カバーが取り付けられ、通気カバーに複数の通気孔が均一に分布する。
【００２４】
本発明の前記ドラム式衣類乾燥機の衣類乾燥方法は、各空気室が外ドラムの軸方向に対応して前後に分布する。各空気室が分布する順序に基づいて、内ドラムの回転方向を制御することにより、異なる衣類乾燥段階で、内ドラムの前後に対応する異なる位置から衣類乾燥する。
【００２５】
さらに、２つの段階、つまり乾燥前期および乾燥後期を少なくとも含む。外ドラム左側からの吸気に対応して設置される空気室は外ドラム後端に位置し、外ドラム右側からの吸気に対応して設置される空気室は外ドラム前端に位置する。乾燥前期、ドラムが反時計回りに回転するか、または大部分の時間反時計回りに回転するように制御する。左側の衣類が降下する過程に対応して、左側の空気室からの吸気が作動し、右側の空気室は停止する。乾燥後期、ドラムが時計回りに回転するか、または大部分の時間時計回りに回転するように制御する。右側の衣類が降下する過程に対応して、右側の空気室からの吸気が作動し、左側の空気室は停止する。該制御方式により、異なる段階で異なる位置から吸気し、部分的な衣類を続けて乾燥させることにより、衣類の繊維が乾燥し過ぎで弾性を失い、折れやすくなり、衣類が摩耗するのを防止する。
【００２６】
さらに、外ドラムの真下の中間位置に対応して下空気室が設けられる。下空気室は乾燥の前後期に左右側の空気室と組み合わさり、共に吸気して衣類乾燥する。または、乾燥中期を追加し、乾燥中期に下空気室が作動し、左右側の空気室は停止する。
【００２７】
本発明は、外ドラムの軸方向および円周方向における空気室の位置分布に基づいて、衣類が内ドラムの回転に伴って昇降し、対応する空気室が作動する法則を組み合わせて、ドラムの回転方向、回転時間を制御して、急速、均一な衣類乾燥を実現する。
【００２８】
本発明のドラム式衣類乾燥機は、内ドラム、外ドラムおよび第１衣類乾燥システムを含み、第１衣類乾燥システムは、外ドラムの前／後から吸気して衣類乾燥する。さらに第２衣類乾燥システムを含み、第２衣類乾燥システムは、外ドラムの側壁からドラム内に熱風を吹き込む空気室を少なくとも２つ含む。各空気室はそれぞれ、内ドラムが正逆回転するとき衣類を上昇させる側に対応して設置され、各空気室は独立して熱風の吸気を制御する。内ドラムの正逆回転に基づいて、両側の空気室の作動、停止が切り替わる。
【００２９】
さらに、前記第１衣類乾燥システムは主衣類乾燥システムであり、第２衣類乾燥システムは補助衣類乾燥システムである。衣類乾燥過程で、第２衣類乾燥システムが各空気室の作動、停止を制御し、第１衣類乾燥システムを組み合わせて衣類乾燥を完了する。
【００３０】
さらに、各空気室は外ドラムの軸方向に、前後に順番に分布する。
【００３１】
さらに、各空気室は外ドラムの円周方向に分布する。
【００３２】
さらに、衣類乾燥時間および／または測定した外ドラム内の温度および／または測定した衣類の湿度に基づいて、各空気室の作動、停止を制御する。
【００３３】
さらに、前記第２衣類乾燥システムは第１空気室および第２空気室を含む。２つの空気室はそれぞれ外ドラムの左、右両側に位置し、内ドラムが正逆回転して衣類を上昇および落下させる経路に対応する。衣類乾燥時、内ドラムが正逆回転し、２つの空気室の作動、停止が切り替わる。衣類が上昇する側の経路に対応する空気室が作動し、もう一側の空気室は停止することを満たす。
【００３４】
さらに、前記第２衣類乾燥システムは第３空気室を含む。第３空気室は外ドラムの底部に取り付けられ、通風方向は上向きである。
【００３５】
さらに、前記第１空気室および第２空気室は、それぞれ外ドラムの前後端に位置する。
【００３６】
さらに、各空気室の吸気管路にチェック弁が設けられる。各空気室は同一の気流分配弁を介して風道と通じ、気流分配弁が空気室の排気を制御する。または各空気室はそれぞれ風道と通じ、各空気室に一つ一つ対応して作動制御弁が設けられる。
【００３７】
さらに、前記第２衣類乾燥システムおよび第１衣類乾燥システムは同一の加熱装置を使用し、風道を介して第１衣類乾燥システムおよび第２衣類乾燥システムに分流する。または、第２衣類乾燥システムおよび第１衣類乾燥システムが、それぞれ加熱装置に対応する。
【００３８】
さらに、前記空気室は空気取入口および開口を含み、開口に通気カバーが取り付けられ、通気カバーに複数の通気孔が均一に分布する。
【００３９】
さらに、衣類乾燥時間および／または測定した外ドラム内の温度および／または測定した衣類の湿度に基づいて、各空気室が作動、停止しているかどうかを判断し、これにより内ドラムの回転方向を制御して、対応する空気室を作動、停止させる。
【発明の効果】
【００４０】
上記技術案を採用すると、本発明は既存技術と比較して以下の有益な効果を有する。
【００４１】
本発明の前記ドラム式衣類乾燥機は、衣類乾燥の吸気方式を改良した。外ドラムの側壁から吸気し、既存のドラム式衣類乾燥機における前部または後部からの吸気方式を代替した。異なる位置の空気室から熱風を吸気し、熱風を吸気する方式を追加して、衣類乾燥位置の制御性を実現する。ドラムの回転方向および対応する空気室を制御し、作動、停止を組み合わせることにより、衣類乾燥効果が増強し、これにより衣類乾燥がより均一になる。他に、段階的に外ドラムの軸方向の前後から吸気して衣類乾燥することにより、衣類乾燥時間も短縮され、衣類乾燥を均一にする効果が増強した。衣類が落下する過程で均一に衣類乾燥し、ふわふわ感が強く、衣類が傷つかず、衣類にしわが入りにくい。単一の前部または後部から吸気する方式によって加熱が不均一になり、乾燥時間が長い問題を克服した。
【００４２】
実験は、以下のように示している。本発明の前記衣類乾燥機を採用すると、様々な負荷に基づいて、１０％〜３０％の時間を節約することができる。特に大容量の衣類乾燥機のとき、衣類の違いに基づいて、時間を１０〜３０分間節約することができる。本発明の上記改良は、衣類乾燥効率を２０％前後上昇させることができ、衣類乾燥が均一で、衣類の繊維の損傷を相対的に減少させた。
【００４３】
特に、既存の前後から吸気する衣類乾燥システムを基に、補助衣類乾燥システムを追加し、外ドラムの側壁から吸気する。異なる位置の空気室から熱風を吸気し、熱風を吸気する方式を追加して、衣類乾燥位置の制御性を実現する。ドラムの回転方向および対応する空気室を制御し、作動、停止を組み合わせることにより、衣類乾燥効果が増強し、衣類乾燥がより均一になる。他に、段階的に外ドラムの軸方向の前後から吸気して衣類乾燥することにより、衣類乾燥時間も短縮され、衣類乾燥を均一にする効果が増強した。衣類が上昇する過程で、衣類は内ドラムに密着する。外ドラムの周壁から熱風を送っても、内ドラムの元の風路に影響を及ぼさず、熱風が内ドラムの壁を加熱することにより、内ドラムの壁に密着した衣類を乾燥させる。複数の角度から衣類乾燥し、ふわふわ感が強く、衣類を傷つけず、衣類にしわが入りにくい。単一の前部または後部から吸気する方式によって加熱が不均一になり、乾燥時間が長い問題を克服した。
【図面の簡単な説明】
【００４４】
【図１】図１は、既存の加熱管による衣類乾燥機の構造概要図である。
【図２】図２は、既存のヒートポンプによる衣類乾燥機の構造概要図である。
【図３】図３は、本発明の衣類乾燥機における風路の構造概要図である。
【図４】図４は、本発明の衣類乾燥機における別の風路の構造概要図である。
【図５】図５は、本発明の空気室および外ドラムの取付構造の概要図である。
【図６】図６は、本発明の空気室の構造概要図である。
【図７】図７は、本発明の通気カバーの構造概要図である。
【図８】図８は、本発明の空気室および外ドラムにおける取付構造の実施方式の概要図である。
【図９】図９は、本発明の空気室および外ドラムにおける取付構造の別の実施方式の概要図である。
【図１０】図１０は、本発明の空気室および外ドラムにおける取付構造の別の実施方式の概要図である。
【図１１】図１１は、本発明の空気室を外ドラムに軸方向に取り付けた構造概要図である。
【図１２】図１２は、本発明のもう１つのドラム式衣類乾燥機の第２衣類乾燥システムに第１衣類乾燥システムを組み合わせた構造概要図である。
【図１３】図１３は、本発明のもう１つのドラム式衣類乾燥機の第２衣類乾燥システムに別の第１衣類乾燥システムを組み合わせた構造概要図である。
【図１４】図１４は、本発明のもう１つのドラム式衣類乾燥機の空気室および外ドラムにおける取付構造の実施方式の概要図である。
【図１５】図１５は、本発明のもう１つのドラム式衣類乾燥機の空気室および外ドラムにおける取付構造の別の実施方式の概要図である。
【発明を実施するための形態】
【００４５】
以下に、図を組み合わせて、本発明の具体的実施方式について、さらに詳細に記載する。
【００４６】
図３および図４に示すように、本発明の衣類乾燥機は、既存の衣類乾燥機の筐体１、筐体内に設けられる外ドラム２、外ドラム内に回転可能に設けられる内ドラム３、加熱送風装置４、風道、内ドラムを回転させる駆動装置、およびその他の制御構造など（図示せず）を含む。加熱送風装置４は加熱ユニットおよび送風ユニットを含み、加熱ユニットは電熱器構造またはヒートポンプ構造を採用することができ、風道内の空気を加熱する。送風ユニットは空気ポンプまたはファンであり、加熱した空気を外ドラムに送るか、または外ドラム内で衣類と熱交換した後の湿熱気体を吹き出す。上記既存の構造以外に、本発明はさらに、外ドラム２の周壁に設けられ、ドラム内に熱風を送り、風道と通じる空気室５を少なくとも２つ含む。各空気室５は独立して作動、停止し、熱風を送る。各空気室５は、内ドラム３が回転して、衣類を昇降させる両側に対応してそれぞれ設置される。内ドラム３の回転方向に基づいて切り替わり、一側の空気室５の送風が作動し、もう一側の空気室は送風を停止するように制御する。具体的に、衣類乾燥時、内ドラムの回転方向に基づいて、空気室の通風方向を制御し、衣類の落下に対応する側の送風を作動し、上昇する側の送風を停止する。内ドラムの回転における正逆方向の変化が、衣類が昇降する側も変化させるため、空気室の作動、停止を制御して、回転方向に対応して切り換える。しかし、上記法則は固定ではなく、衣類の上昇に対応する側の送風が作動し、もう一側が停止してもよい。
【００４７】
本発明の前記各空気室は外ドラムの同一円周断面に位置する必要はなく、各空気室は外ドラムの軸方向で前後に順番に分布することもできる。衣類乾燥時間および／または測定した外ドラム内の温度および／または測定した衣類の湿度に基づいて、各空気室の作動、停止および内ドラムの回転方向を制御し、衣類の繊維に対する損傷をより良好に減少させ、急速で均一な衣類乾燥を実現することができる。
【００４８】
本発明のドラム式衣類乾燥に用いる加熱ユニットに、加熱器またはヒートポンプシステムまたはその他の例えば太陽エネルギー加熱構造を採用する。風路は内部凝縮の循環加熱構造を採用するか、または衣類乾燥後の湿熱空気を外部に排出する構造を採用する（図３および図４を参照）。図４に示すように、衣類乾燥機に内部凝縮の循環加熱構造を採用するとき、凝縮ユニット１０が設けられる。図３に示すように、衣類乾燥後の湿熱空気を外部に排出する構造を採用するとき、外ドラム２にさらに空気排出口１１が設けられる。
【実施例】
【００４９】
実施例１
図５および図８に示すように、本実施例の前記衣類乾燥機は第１空気室５１および第２空気室５２を含み、第１空気室５１は外ドラム２の左側に位置し、第２空気室５２は外ドラム２の右側に位置する。左、右側とは、ユーザが衣類乾燥機の衣類投入口に正対して言う。送風方向は、内ドラムが回転して衣類を上昇および落下させる経路にそれぞれ対応する。すなわち内ドラムが正逆回転を切り替えると、第１空気室５１または第２空気室５２に関わらず、いずれも衣類が上昇および落下する経路に対応する。
【００５０】
衣類乾燥過程で、内ドラム３が正回転、すなわち時計回りに回転するとき、衣類は内ドラム３の左側で上昇し、内ドラム３の右側で落下する。このとき、衣類が落下する側の経路に対応して送風する第２空気室５２が作動し、もう一側の第１空気室５１は停止する（図９を参照）。反対に、内ドラム３が逆回転、すなわち反時計回りに回転するとき、衣類は内ドラム３の右側で上昇し、内ドラム３の左側で落下する。このとき、衣類が落下する側の経路に対応して送風する第１空気室５１が作動し、もう一側の第２空気室５２は停止する（図５を参照）。内ドラム３の正逆回転に対応して、第１空気室５１および第２空気室５２の作動、停止が繰り返し切り替わる。
【００５１】
実施例２
図５および図８に示すように、本実施例の衣類乾燥機は実施例１を基に、さらに第３空気室５３が設けられる。第３空気室５３は外ドラム２の底部、すなわち真下に取り付けられ、通風方向は上向きである。内ドラム３が正回転または逆回転するのに関わらず、衣類は終始下部に落ち、下部から上に上昇する。衣類が転がり落ちる角度は毎回異なるため、第３空気室５３は長時間連続的に、または間欠的に作動して熱風を送ることができ、衣類乾燥時間をより良好に節約することができる。
【００５２】
実施例３
図１１に示すように、本実施例の前記衣類乾燥機は、実施例１を基に、さらに改良を行う。前記第１空気室５１は外ドラム２の左側、軸方向の後端の、衣類投入口６と反対の一端に位置する。第２空気室５２は外ドラム２の右側、軸方向の前端の、衣類投入口６に近い一端に位置する。２つの空気室は、軸方向に少なくとも６０％の領域をカバーする。衣類乾燥過程で、内ドラムの正逆回転が切り替わると、衣類の昇降に対応して第１空気室、第２空気室が作動／停止し、外ドラムの前後端部で、外ドラムの側壁から吸気して衣類乾燥することを実現する。衣類乾燥が均一で衣類を傷つけず、衣類乾燥時間を減少させることができる。
【００５３】
さらに、実施例２を組み合わせると、外ドラムに設けられる第３空気室５３は外ドラム２の底部、軸方向の中間に位置する。すなわち、外ドラム２の軸方向において、第３空気室５３は第１空気室５１と第２空気室５２との間に位置し、３つの空気室は軸方向で少なくとも８０％の領域をカバーするか、または完全にカバーする。内ドラムが正逆回転するとき、第１空気室および第２空気室は、回転方向により衣類が昇降するのに基づいて、２つの空気室の作動、停止を制御する。第３空気室は長時間連続的に、または間欠的に作動して、熱風を送ることができる。
【００５４】
本実施例の第１空気室および第２空気室の設置位置である左側後端または右側前端は固定ではなく、左側前端、右側後端に設置するか、または第３空気室は前、後端、第１空気室もしくは第２空気室は中間などの位置構造に設置することもできる。
【００５５】
実施例４
図５および図１１に示すように、実施例３を基にする。乾燥初期、衣類乾燥機の内ドラム３は反時計回りに回転するか、または大部分の時間反時計回りに回転する。内ドラム３が回転して衣類を転がし、衣類は内ドラム３の左側で落下し、右側で上昇し、右側の衣類は堆積した状態にある。第１空気室５１が作動し、第２空気室５２は停止し、外ドラム２の左側後端の近くから吸気する。このように、内ドラム３の後ろ側で急速に乾燥させる。図９および図１１に示すように、乾燥後期、衣類乾燥機の内ドラム３は時計回りに回転するか、または大部分の時間時計回りに回転する。内ドラム３が回転して衣類が転がり、内ドラム３の右側で落下し、左側の衣類は堆積した状態にある。このとき、第２空気室５２が作動し、第１空気室５１は停止する。外ドラム２の右側前端の近くから吸気し、内ドラム３の前側の衣類を集中的に乾燥させる。該制御方式により、異なる段階で異なる位置から吸気し、部分的な衣類を続けて乾燥させることにより、衣類の繊維が乾燥し過ぎで弾性を失い、折れやすくなり、衣類が摩耗するのを防止する。
【００５６】
さらに、乾燥中期の段階を追加することができ、内ドラムが正逆回転する時間の比率を調整し、第１空気室５１および第２空気室５２の作動、停止の切替を制御する。または、乾燥中期に第３空気室５３が作動し、左右側の第１空気室５１および第２空気室５２は停止する。または、乾燥中期に、第３空気室５３が第１空気室５１および第２空気室５２とそれぞれ組み合わさり、送風して衣類乾燥する。
【００５７】
衣類乾燥の時間区分は、既存の衣類乾燥過程の温度上昇段階に基づいて、温度の安定段階および温度の２次上昇段階に分けるか、または測定した湿度、温度の変化に基づいて分けることができる。例えば、初期に、衣類乾燥の熱量は温度をおよそ５０℃まで急速に上昇させる。その後、温度上昇の速度はゆっくりと安定に傾き、この段階は水蒸気の蒸発が最も多い時期である。熱量は水分に吸収されて蒸発し、ドラム内の温度上昇は比較的ゆっくりである。最後の段階で、ドラム内には少量の水分しかなく、ドラム内の温度上昇速度は再度急激に上昇する。このとき乾燥が終了に近づいていることを意味する。
【００５８】
図１２から図１５に示すのは、本発明のもう１つのドラム式衣類乾燥機における構造概要図である。該ドラム式衣類乾燥機は既存の衣類乾燥機の筐体１、筐体内に設けられる外ドラム２、外ドラム内に回転可能に設けられる内ドラム３、加熱送風装置４、凝縮ユニット１０、風道１１、内ドラムを回転させる駆動装置、およびその他の制御構造など（図示せず）を含む。加熱送風装置４は加熱ユニット４１および送風ユニット４２を含み、加熱ユニット４１は電熱器構造またはヒートポンプシステムの凝縮器構造を採用することができ、風道１１内の空気を加熱する。送風ユニット４２は空気ポンプまたはファンであり、加熱した空気を外ドラム２に送るか、または外ドラム２内で衣類と熱交換した後の湿熱気体を吹き出す。上記既存構造の前後部から吸排気する衣類乾燥システムは、本発明の第１衣類乾燥システムに属す。上記既存の構造以外に、本発明にさらに第２衣類乾燥システムが設けられ、このうち第１衣類乾燥システムは主衣類乾燥システムであり、第２衣類乾燥システムは補助衣類乾燥システムである。第２衣類乾燥システムは、外ドラム２の周壁に設けられ、ドラム内に熱風を送り、風道と通じる空気室５を少なくとも２つ含む。各空気室５は独立して作動、停止し、熱風を送る。各空気室５は、内ドラム３が回転して、衣類を昇降させる両側に対応してそれぞれ設置される。衣類乾燥過程で、第２衣類乾燥システムは各空気室の作動、停止を制御し、第１衣類乾燥システムを組み合わせて衣類乾燥を完了する。内ドラム３の回転方向に基づいて切り替わり、一側の空気室５の送風が作動し、もう一側の空気室は送風を停止するように制御する。具体的に、衣類乾燥時、内ドラムの回転方向に基づいて、空気室の通風方向を制御し、衣類の上昇に対応する側の送風を作動し、下降する側の送風を停止する。内ドラムの回転における正逆方向の変化が、衣類が昇降する側も変化させるため、空気室の作動、停止を制御して、回転方向に対応して切り換える。しかし、上記法則は固定ではなく、衣類の落下に対応する側の送風が作動し、もう一側が停止してもよい。
【００５９】
該ドラム式衣類乾燥機の衣類乾燥に用いる加熱ユニットに、加熱器またはヒートポンプシステムを採用する以外に、その他の例えば太陽エネルギー加熱構造を使用することもできる。風路は、内部凝縮の循環加熱構造を採用する（図１２および図１３を参照）。衣類乾燥後の湿熱空気を外部に排出する風路構造を採用することもできる。
【００６０】
実施例５
図１５に示すように、本実施例の前記第２衣類乾燥システムは第１空気室５１および第２空気室５２を含み、第１空気室５１は外ドラム２の左側に位置し、第２空気室５２は外ドラム２の右側に位置する。左、右側とは、ユーザが衣類乾燥機の衣類投入口に正対して言う。送風方向は、内ドラムが回転して衣類を上昇および落下させる経路にそれぞれ対応する。すなわち内ドラムが正逆回転を切り替えると、第１空気室５１または第２空気室５２に関わらず、いずれも衣類が上昇および落下する経路に対応する。
【００６１】
衣類乾燥過程で、内ドラム３が正回転、すなわち時計回りに回転するとき、衣類は内ドラム３の左側で上昇し、内ドラム３の右側で落下する。このとき、衣類が上昇する側の経路に対応して送風する第１空気室５１が作動し、もう一側の第２空気室５２は停止する（図１５を参照）。反対に、内ドラム３が逆回転、すなわち反時計回りに回転するとき、衣類は内ドラム３の右側で上昇し、内ドラム３の左側で落下する。このとき、衣類が上昇する側の経路に対応して送風する第２空気室５２が作動し、もう一側の第１空気室５１は停止する（図１４を参照）。内ドラム３の正逆回転に対応して、第１空気室５１および第２空気室５２の作動、停止が繰り返し切り替わる。
【００６２】
実施例６
図１４に示すように、本実施例の衣類乾燥機は、実施例５を基に、さらに第３空気室５３が設けられる（図８を参照）。第３空気室５３は外ドラム２の底部、すなわち真下に取り付けられ、通風方向は上向きである。内ドラム３が正回転または逆回転するのに関わらず、衣類は終始下部に落ち、下部から上に上昇する。衣類が転がり落ちる角度は毎回異なるため、第３空気室５３は長時間連続的に、または間欠的に作動して熱風を送ることができ、衣類乾燥時間をより良好に節約することができる。
【００６３】
実施例７
図１２および図１３に示すように、本実施例の前記衣類乾燥機は、実施例５を基に、さらに改良を行う。前記第１空気室５１は外ドラム２の左側、軸方向の後端の、衣類投入口６と反対の一端に位置する。第２空気室５２は外ドラム２の右側、軸方向の前端の、衣類投入口６に近い一端に位置する。２つの空気室は、軸方向に少なくとも６０％の領域をカバーする。衣類乾燥過程で、内ドラムの正逆回転が切り替わると、衣類の昇降に対応して第１空気室、第２空気室が作動／停止し、外ドラムの前、後端部で、外ドラムの側壁から吸気して衣類乾燥することを実現する。衣類乾燥が均一で衣類を傷つけず、衣類乾燥時間を減少させることができる。
【００６４】
さらに、実施例６を組み合わせると、外ドラムに設けられる第３空気室５３は外ドラム２の底部、軸方向の中間に位置する。すなわち、外ドラム２の軸方向において、第３空気室５３は第１空気室５１と第２空気室５２との間に位置し、３つの空気室は軸方向で少なくとも８０％の領域をカバーするか、または完全にカバーする。内ドラムが正逆回転するとき、第１空気室および第２空気室は、回転方向により衣類が昇降するのに基づいて、２つの空気室の作動、停止を制御する。第３空気室は長時間連続的に、または間欠的に作動して、熱風を送ることができる。
【００６５】
本実施例の第１空気室および第２空気室の設置位置である左側後端または右側前端は固定ではなく、左側前端、右側後端に設置するか、または第３空気室は前、後端、第１空気室もしくは第２空気室は中間などの位置構造に設置することもできる。
【００６６】
実施例８
図１２から図１４に示すように、実施例７を基にする。乾燥初期、衣類乾燥機の内ドラム３は時計回りに回転するか、または大部分の時間時計回りに回転する（図１５を参照）。内ドラム３が回転して衣類を転がし、衣類は内ドラム３の右側で落下し、左側で上昇し、左側の衣類は堆積した状態にある。第１空気室５１が作動し、第２空気室５２は停止し、外ドラム２の左側後端の近くから吸気する。このように、内ドラム３の後ろ側から急速に乾燥させる。図１４に示すように、乾燥後期、衣類乾燥機の内ドラム３は反時計回りに回転するか、または大部分の時間反時計回りに回転する。内ドラム３が回転して衣類を転がし、衣類は内ドラム３の左側で落下し、右側で上昇し、右側の衣類は堆積した状態にある。このとき、第２空気室５２が作動し、第１空気室５１は停止し、外ドラム２の右側前端の近くから吸気し、内ドラム３の前側の衣類を集中的に乾燥させる。該制御方式を第１衣類乾燥システムと組み合わせ、全方位で衣類乾燥し、部分的な衣類を乾燥し続けることにより、衣類の繊維が乾燥し過ぎで弾性を失い、折れやすくなり、衣類が摩耗するのを防止する。
【００６７】
さらに、乾燥中期の段階を追加することができ、内ドラムが正逆回転する時間の比率を調整し、第１空気室５１および第２空気室５２の作動、停止の切替を制御する。または、乾燥中期に第３空気室５３が作動し、左右側の第１空気室５１および第２空気室５２は停止する。または、乾燥中期に、第３空気室５３が第１空気室５１および第２空気室５２とそれぞれ組み合わさり、送風して衣類乾燥する。
【００６８】
衣類乾燥の時間区分は、既存の衣類乾燥過程の温度上昇段階に基づいて、温度の安定段階および温度の２次上昇段階に分けるか、または測定した湿度、温度の変化に基づいて分けることができる。例えば、初期に、衣類乾燥の熱量は温度をおよそ５０℃まで急速に上昇させる。その後、温度上昇の速度はゆっくりと安定に傾き、この段階は水蒸気の蒸発が最も多い時期である。熱量は水分に吸収されて蒸発し、ドラム内の温度上昇は比較的ゆっくりである。最後の段階で、ドラム内には少量の水分しかなく、ドラム内の温度上昇速度は再度急激に上昇する。このとき乾燥が終了に近づいていることを意味する。
【００６９】
実施例９
図３から図５および図１４に示すように、本発明の上記２種のドラム式衣類乾燥機は、洗濯乾燥機の衣類乾燥構造を含む。各空気室５の吸気管路７にチェック弁８が設けられ、チェック弁８は水流が加熱ユニットに進入するのを阻止するか、または洗濯乾燥機で衣類洗浄するとき、洗濯水が漏れるのを防止することができる。各空気室５は、同一の気流分配弁９を介して風道と通じ、気流分配弁９が各空気室からの通風の作動、停止を制御する。または各空気室がそれぞれ風道と通じ、各空気室に一つ一つ対応して作動制御弁が設けられる。
【００７０】
図８から図１０に示すように、本発明の上記２種のドラム式衣類乾燥機に空気室５を設置する個数は上記２個または３個に限らず、４個または５個などでもよい。外ドラムの円周方向に追加することができるだけでなく、軸方向に追加することもできる。
【００７１】
図６および図７に示すように、上記空気室５は空気取入口５４および開口５５を含む。開口５５に通気カバー５６が取り付けられ、通気カバー５６に複数の通気孔５７が均一に分布する。吸気は均一で、乱流は形成されない。
【００７２】
上記実施例における実施案はさらなる組合せまたは置換を行うことができ、また実施例は本発明の好ましい実施例を記載したに過ぎず、本発明の構想および範囲を限定しない。本発明の設計の発想を逸脱しない前提の下、当業者が本発明の技術案に対して行う各種の変更および改良は、いずれも本発明の保護範囲に属する。
【図１】
0006710858.tif 000002
【図２】
0006710858.tif 000003
【図３】
0006710858.tif 000004
【図４】
0006710858.tif 000005
【図５】
0006710858.tif 000006
【図６】
0006710858.tif 000007
【図７】
0006710858.tif 000008
【図８】
0006710858.tif 000009
【図９】
0006710858.tif 000010
【図１０】
0006710858.tif 000011
【図１１】
0006710858.tif 000012
【図１２】
0006710858.tif 000013
【図１３】
0006710858.tif 000014
【図１４】
0006710858.tif 000015
【図１５】
0006710858.tif 000016